(57)【要約】      （修正有）【課題】筐体内へ一か所及び複数から流入する風の一部が失われたとしても、筐体の内部に効率よく風を誘導することができ、且つ、係る筐体内部の冷却環境の劣化を極小化する。【解決手段】筐体１に設けられた少なくとも２つの開口９，１０に個別に設けられ、それら開口を個別に、実質的に遮蔽可能な大きさをなすプレート５，７を有し、個々のプレートは、筐体の内側に向かって開くことが可能であり、且つ、自プレートが設けられた開口を実質的に遮蔽可能であり、その実質的に遮蔽した状態において筐体の外側を向く主面には、筐体外部の、個々のプレートに対応する位置から流入する風の向きを変更可能なフィン６，８が設けられている。【選択図】図１
2014192290.tif 000002
【特許請求の範囲】
【請求項１】
筐体に設けられた少なくとも２つの開口に個別に設けられ、それら開口を個別に、実質的に遮蔽可能な大きさをなすプレートを有し、
前記個々のプレートは、
前記筐体の内側に向かって開くことが可能であり、且つ、自プレートが設けられた開口を実質的に遮蔽可能であり、その実質的に遮蔽した状態において前記筐体外側を向く主面には、前記筐体外部の該個々のプレートに対応する位置から流入する風の向きを変更可能なフィンが立設している
ことを特徴とする筐体構造。
【請求項２】
前記プレートは、複数枚のプレートによって構成されており、それらのプレートには、前記フィンが複数設けられている
ことを特徴とする請求項１記載の筐体構造。
【請求項３】
前記複数枚のプレートにおいて、第１のプレートに設けられた前記複数のフィンの向きと、その第１のプレートに隣接する第２のプレートに設けられた前記複数のフィンの向きとが異なる
ことを特徴とする請求項２記載の筐体構造。
【請求項４】
前記第２のプレートに隣接する第３のプレートに設けられた前記複数のフィンの向きは、前記第１のプレートに設けられた前記複数のフィンの向きと同じである
ことを特徴とする請求項３記載の筐体構造。
【請求項５】
前記複数枚のプレートにおいて、少なくとも１枚のプレートには前記フィンを有しない
ことを特徴とする請求項２乃至請求項４の何れかに記載の筐体構造。
【請求項６】
前記複数枚プレートに設けられた前記複数のフィンは、個々のプレートの主面において放射状の向きをなして設けられている
ことを特徴とする請求項２乃至請求項４の何れかに記載の筐体構造。
【請求項７】
前記個々の開口に設けられた前記個々のプレートにおいて、第１の開口に設けられた前記フィンの向きと、第２の開口に設けられた前記フィンの向きとは異なる
ことを特徴とする請求項１乃至請求項６の何れかに記載の筐体構造。
【請求項８】
前記筐体に流入する風を生成する生成手段を、前記筐体外部の前記開口に対応する位置に個別に有する
ことを特徴とする請求項１乃至請求項７の何れかに記載の筐体構造。
【請求項９】
筐体に設けられた少なくとも２つの開口に、それら開口を個別に、実質的に遮蔽可能な大きさをなすプレートを個別に設け、
前記個々のプレートを、
前記筐体の内側に向かって開くことが可能であり、且つ、自プレートが設けられた開口を実質的に遮蔽可能に設け、
前記少なくとも２つの開口には、
前記開口を実質的に遮蔽した状態において前記筐体外側を向く主面に、前記筐体外部の該個々のプレートに対応する位置から流入する風の向きを変更可能なフィンを設ける
ことを特徴とする筐体の冷却方法。
【請求項１０】
前記筐体外部の前記開口に対応する位置に、前記筐体に流入する風を生成する生成手段を個別に設け、該生成手段によって前記個々の開口に向かって風を送ると共に、第１の生成手段による風の生成が停止または弱められるのに応じて、その第１の生成手段に対応する位置に設けられた前記プレートが前記開口を実質的に遮蔽した際、第２の生成手段によって風を送り続けることにより、前記第２の生成手段に対応する位置に設けられた前記プレートに設けられた前記フィンによって、前記第１の生成手段に対応する前記プレートに設けられた前記フィンによって風を送っていた前記筐体内部の特定位置への風の流入を維持する
ことを特徴とする請求項９記載の筐体の冷却方法。
【発明の詳細な説明】
【技術分野】
【０００１】
本発明は、例えば、筐体の内部に設けられた発熱体を冷却可能な筐体構造およびその筐体構造を利用した冷却方法に関する。
【背景技術】
【０００２】
サーバ機器等のように筐体内に発熱体が設けられた装置の冷却には、一般に、複数のファンが用いられている。このような装置（筐体）においては、ファンから送り出された風（以下、本願では「冷却風」と称する場合がある）を通すために筐体に設けられた開口を通じて、その冷却風を筐体内部に導入することにより、係る筐体内部が冷却される。但し、係る複数のファンのうち一部のファンが停止すると、筐体内部において冷却風が逆流してしまうことがあるため、一般的な対策としては、係る開口にプレート状のシャッタを設けることが多い。
【０００３】
開口にシャッタが設けられていることで、そのシャッタは、一部のファンが停止した場合に、停止した特定のファンによる冷却風が当てられていたシャッタがその特定のファンによる冷却風を通していた開口を実質的に遮蔽する役割を果たす。これにより、動作している残りのファンからの冷却風が、当該特定のファンによる冷却風を通していた開口から漏れ出すことを軽減することができる。しかしながら、このような構造によっては、一部のファンが停止した場合に冷却風の流れが変化することに起因する、筐体内部の冷却条件の著しい変化により、筐体内部の半導体等は、温度環境の変化によって致命的な不具合を起こす虞がある。
【先行技術文献】
【特許文献】
【０００４】
【特許文献１】実開平０２−０１５５０７
【特許文献２】実開平０１−０３９６９４
【特許文献３】特開平１０−０６５３７３
【発明の概要】
【発明が解決しようとする課題】
【０００５】
特許文献１は、自動車用空気調和装置のドア本体上に配風リブを設ける技術を開示する。この技術では、係る配風リブにより、閉塞位置における密閉性を確保すると共にデフドアの配風リブは空気の流れを滑らかに変更することができるので、配風リブによって向きを変更された空気をデフダクトに効率よく導くことができる。しかしながら、特許文献１に記載された技術は、例え配風リブが複数設けられていたとしても、配風リブによって風の向きを変更するに留まり、一部の配風リブが遮蔽した場合の悪影響への対処方法等への言及はない。
【０００６】
特許文献２は、複数個の電子回路パッケージの下方に設けられた冷却ファンと、代替用の冷却ファンとを有する強制空冷式電子装置を開示する。このような装置によれば、一方のファンが停止しても他方のファンによって当該装置内部を冷却し続けることができる。しかしながら、この装置は、ファンによる冷却風の向きを調整することができないので、一部のファンの停止による当該装置内部の環境変化が考慮されていない。
【０００７】
特許文献３は、シャッタ部材付きのファン装置を開示する。このファン装置は、２枚の板形状のシャッタ部材を持ち、係るシャッタ部材はファンの風圧によって開口を開放すると共に、そのファンが起こした風を前方に送出する構造を有する。しかしながら、この構造では、風の方向を所望の方向に決めることはできず、例え複数のファンを有していたとしても、一部のファンの停止に起因する装置内部の冷却環境の劣化については言及されていない。
【０００８】
そこで、本発明は、流入する風の一部が失われたとしても、筐体の内部に効率よく風を誘導することができ、且つ、係る筐体内部の冷却環境の劣化を極小化することが可能な筐体構造および筐体の冷却方法の提供を主たる目的とする。
【課題を解決するための手段】
【０００９】
上述した目的を達成するために、本発明に係る筐体構造は、
筐体に設けられた少なくとも２つの開口に個別に設けられ、それら開口を個別に、実質的に遮蔽可能な大きさをなすプレートを有し、
前記個々のプレートは、
前記筐体の内側に向かって開くことが可能であり、且つ、自プレートが設けられた開口を実質的に遮蔽可能であり、その実質的に遮蔽した状態において前記筐体外側を向く主面には、前記筐体外部の該個々のプレートに対応する位置から流入する風の向きを変更可能なフィンが立設していることを特徴とする。
【００１０】
また、同目的を達成する他の見知として、本発明に係る筐体の冷却方法は、
筐体に設けられた少なくとも２つの開口に、それら開口を個別に、実質的に遮蔽可能な大きさをなすプレートを個別に設け、
前記個々のプレートを、
前記筐体の内側に向かって開くことが可能であり、且つ、自プレートが設けられた開口を実質的に遮蔽可能に設け、
前記少なくとも２つの開口には、
前記開口を実質的に遮蔽した状態において前記筐体外側を向く主面に、前記筐体外部の該個々のプレートに対応する位置から流入する風の向きを変更可能なフィンを設ける
ことを特徴とする。
【発明の効果】
【００１１】
本発明によれば、流入する風の一部が失われたとしても、筐体の内部に効率よく風を誘導することができ、且つ、係る筐体内部の冷却環境の劣化を極小化することができる。
【図面の簡単な説明】
【００１２】
【図１】本発明の第一の実施形態に係る筐体構造を説明する斜視図である。
【図２】本発明の第二の実施形態に係る筐体構造を説明する斜視図である。
【図３】第二の実施形態の変形例において、例えば、プレート１０７上に設けられたフィン１０８が放射状に配列された際の風の流れを模式的に示した図である。
【図４】本発明の第三の実施形態に係る筐体構造を説明する斜視図である。
【図５】第三の実施形態において、プレート２７ｂを上面から見た図である。
【図６】本発明の第四の実施形態に係る筐体構造を説明する斜視図である。
【図７】第四の実施形態において、プレート３７ｂを上面から見た図である。
【発明を実施するための形態】
【００１３】
以下、本発明を、図面を参照して詳細に説明する。
【００１４】
＜第一の実施形態＞
図１は、本発明の第一の実施形態に係る筐体構造を説明する斜視図である。即ち、図１において、ファン３，４は、筐体１前面に設けられた２つの開口９，１０の前面に、対向するように配置されている。換言すると、個々のファン（３，４）は、開口（９，１０）に一対一に対応するように設けられている。即ち、ファン３は、開口９への送風を担い、ファン４は、開口１０への送風を担う。
【００１５】
本実施形態において、ファン３，４は、筐体１の内部に流入する風を生成する生成手段の一例である。この風は、筐体１の内部に設けられた発熱体２を主に冷却する冷却風として機能する。但し、本実施形態を例に説明する本発明において、生成手段は、ファンには限定されず、筐体１内に向かって一対一に対応するように送風できる手段であれば何れの手段であってもよい。また、係る生成手段が配置される位置は、開口（９，１０）に向かって一対一に対応するように送風できれば、係る開口の前面において対向する位置に配置される必要はない（後述する各実施形態においても同様）。
【００１６】
開口９（１０）には、図１に示すように、筐体１の内部に向かって開閉可能であると共に、開口９（１０）を実質的に遮蔽可能な３枚（３段）のプレート５（７）が設けられている。ここで、開口９（１０）を実質的に遮蔽とは、プレート５（７）が開口９（１０）を閉じる状態が、当該開口を完全に閉め切る状態だけでなく、開口９（１０）を介して空気が多少出入りする状態を含む（以下、本願において同様）。
【００１７】
尚、開口９，１０を実質的に遮蔽可能なプレートの枚数は、３枚には限定されず、当該個々の開口に少なくとも１枚ずつも設けられればよい。また、本実施形態において、プレート５，７を回動可能に筐体１に固定する方法、並びに、回動可能に固定する回転軸（不図示）の配設方向は、開口９，１０を実質的に遮蔽可能な構造であれば、図１に示すような水平方向には限定されず、例えば、垂直方向であってもよい（後述する各実施形態においても同様である）。また、本実施形態によれば、開口９を遮断することで、開口１０から流入した風を筐体１内から漏らさない効果もあるので、冷却効果が上がる。
【００１８】
図１は、３枚のプレート７が開いており、且つ、３枚のプレート５が閉じた状態を示している。即ち、３枚のプレート７は、ファン４によって押し出された風（冷却風）によって、筐体１の内側に向かって開いた状態である。このとき３枚のプレート７は、ファン４によって送り出された風によって筐体１の底面部と略平行な姿勢をとる。一方、３枚のプレート５は、ファン３が例えば故障することによって、風を生成しない、或いは本来の風量を起こせないために開かなくなった状態（即ち、実質的に遮蔽状態）である。係る実質的に遮蔽状態において、本実施形態に係る個々のプレート５は、例えば自重によって略垂直方向を向いている。個々のプレート５は、係る略垂直方向を向いた状態において開口９を実質的に遮蔽可能な大きさであれば、個々のプレートの縁部は重なっていても重なっていなくてもよい。３枚のプレート７が開口１０を実質的に遮蔽可能な構造についても同様である。筐体１内の発熱体２は、開口９側に存在している。
【００１９】
個々のプレート５の表面をなす２つの主面のうち、開口９に対向するファン３が起こす風が当たる主面（即ち、筐体１外側に向いた面）には、その風を導くフィン６が設けられている。換言すると、フィン６は、個々のプレート５の表面をなす２つの主面のうち、実質的に遮蔽した状態において筐体１の外側を向く方の主面に設けられている。ここで、当該各プレートに設けられているフィン６の数は限定されず、個々のプレート間で枚数が異なっていてもよい。また、プレート５にフィン６を設ける方法は限定されず、例えば一体成形であってもよい。プレート５に設けるフィン６の向き（角度）は、例えば、筐体１及びその内部に実装する各種物体の設計段階において、適当な向きを決定すればよい。また、このフィン６は、風がフィンによって向きを変えられればよいので、形状は翼状には限定されず、突起状等の形状であってもよい。本実施形態では、図１に例示する如く一枚のプレート５にフィンは４つ設けられており、風がプレート５に当たり筐体１の底面と略平行な姿勢になった際に、フィン６は、風が筐体１内部に設けられた発熱体２に向かうように設計されていることとする（後述する各実施形態においても同様である）。
【００２０】
上記プレート５とフィン８との構造と同様に、開口１０には、対向するファン４が起こす風が当たる主面（即ち、実質的に遮蔽した状態において筐体１の外側を向く方の主面）にフィン８が設けられた３枚のプレート７が設けられている。プレート５に設けられたフィン８も、予め決定した方向に風を導くことができる。フィン８の枚数及び方向は、上述したフィン６と同様に限定されないが、本実施形態では、風がプレート７の主面に当たった際に、その風が殆ど筐体内１の発熱体２へ向かうような方向に設計されていることとする。そして、係る３枚のプレート７は、ファン４によって送り出された風により、筐体１の底面部と略平行な姿勢になり、筐体１内へ風を流入できる構造をなす（後述する各実施形態においても同様である）。
【００２１】
図１に例示した斜視図では、ファン３が故障したことによって風を起こせない、或いは本来の風量を起こせないことに起因して、３枚のプレート５は開口９を実質的に遮蔽するシャッタとしての役割を果たしている。このような場合であっても、本実施形態に係る筐体構造によれば、正常に機能しているファン４が起こす風だけであっても、開口１０に設けられているプレート７及びそれに設けられたフィン８によって風向が調整されるので、発熱体２に対して直接風を当てることができる。即ち、本実施形態によれば、ファン３が故障を起こした状況においてファン４だけが風を起こしている状況においても、発熱体２の冷却状態を維持することができる。
【００２２】
即ち、本実施形態に係る筐体構造において、プレート５、７は、筐体１に設けられた少なくとも２つの開口９、１０に個別に設けられており、それら開口９、１０を個別に、実質的に遮蔽可能な大きさをなす。そして、個々のプレート５、７は、筐体１の内側に向かって開くことが可能であり、且つ、自プレートが設けられた開口を実質的に遮蔽可能である。そして、当該プレートには、開口９、１０を実質的に遮蔽した状態において筐体１の外側を向く主面に、筐体１外部の該個々のプレート５，７に対応する位置から流入する風の向きを変更可能なフィン８が設けられている。
【００２３】
そして係る筐体構造において、図１に示すように、一例として、筐体１外部の開口９，１０と個別に対応する位置に、その筐体１に流入する風を生成する生成手段（ファン３，４）が個別に設けられている。本実施形態では、その生成手段によって個々の開口９，１０に向かって風を送ると共に、特定の開口に対応して第１の生成手段（図１に示す例ではファン３）による風の生成が、停止または他方の開口と比較して弱められるのに応じて、その第１の生成手段に対応する位置に設けられたプレート５が開口９を実質的に遮蔽する。その際、第２の生成手段（図１に示す例ではファン４）によって風を送り続けることにより、その第２の生成手段に対応する位置に設けられたプレート７の風が当たる主面（即ち、実質的に遮断した状態において筐体１の外を向く主面）に設けられたフィン８によって、当該第１の生成手段に対応するプレート５に設けられたフィン６によって風を送っていた筐体１内部の特定位置への風の流入を維持する。
【００２４】
従って、本実施形態によれば、流入する風の一部が失われたとしても、筐体１の内部に効率よく風を誘導することができ、且つ、係る筐体内部の冷却環境の劣化を極小化できるという効果を享受できる。
【００２５】
尚、上述した図１では、筐体１に対して風を送るファンと、対応する開口等の構造が水平方向に２つ並ぶ構成を例に説明した。しかしながら、本発明は係る構成には限定されず、例えば、係る構造が水平方向に３つ以上配置された構成、垂直方向に配置された構成、或いは、筐体正面から見て三角形などの多角形に配置された構造等であってもよい（後述する各実施形態においても同様である）。このような構造によっても、少なくとも１箇所の開口から流入する風によって筐体内部の特定の箇所を冷却し続けることができるので、上述した効果を享受することができる。
【００２６】
＜第二の実施形態＞
次に、上述した第一の実施形態を基本とする第ニの実施形態について説明する。図２は、本発明の第ニの実施形態に係る筐体構造を説明する斜視図である。本実施形態においても、上述した第一の実施形態と同様に、筐体１１前面に設けられた開口１９，２０の対向する位置には、ファン１３，１４が設けられている。そして、開口１９，２０には、一例として３枚のプレート１５ａ〜１５ｃ，１７ａ〜１７ｃが回動（開閉）可能に設けられている。そして、個々のプレートには、フィン１６ａ〜１６ｃ，１８ａ〜１８ｃが設けられている。
【００２７】
より具体的に、図２は、第ニの実施形態に係る筐体構造において、ファン１３が故障してしまい、正常に動作しているファン１４によって生成された風によってプレート１８ａ〜１８ｃが開口し、且つ、そのプレート１７に設けられているフィン１８によって方向が調整された風によって、発熱体１２の冷却が維持されている状況を模式的に表している。このため、第一の実施形態と同様に、左側のファン１３は故障又は十分に風が起こせない状態であることに起因して、３枚のプレート１５（１５ａ〜１５ｃ）がシャッタとして機能することにより、開口１９は実質的に遮蔽した状態である。また、筐体１１内に設けられた発熱体１２は、開口１９側に存在している。
【００２８】
本実施形態においても、第一の実施形態と同様に、各プレート１５ａ〜１５ｃ（１７ａ〜１７ｃ）の一方の主面には、フィン１６ａ〜１６ｃ（１８ａ〜１８ｃ）が設けられている。但し、本実施形態では、図２に示すように、プレート１５ａ（１７ａ）に設けられたフィン１６ａ（１８ａ）の方向と、プレート１５ｂ（１７ｂ）に設けられたフィン１６ｂ（１８ｂ）の方向とは逆方向を向いている。
【００２９】
即ち、本実施形態において、複数枚のプレート１５（１７）において、第１のプレート（１５ａ，１７ａ）に設けられた複数のフィン（１６ａ，１８ａ）の向きと、その第１のプレートに隣接する第２のプレート（１５ｂ，１７ｂ）に設けられた複数のフィン（１６ｂ，１８ｂ）の向きとは互いに異なる。
【００３０】
更に、本実施形態では、係る第２のプレート（１５ｂ，１７ｂ）に隣接する第３のプレート（１５ｃ，１７ｃ）に設けられた複数のフィン（１６ｃ，１８ｃ）の向きは、第１のプレート（１５ａ，１７ａ）に設けられた複数のフィン（１６ａ，１８ａ）の向きと同じである。
【００３１】
このようなフィンの配置を採用することにより、本実施形態によれば、流入する風が発熱体１２に直接向かうように設計する一方で、発熱体１２の向きとは異なる方向に風の向きが調整されるので、筐体１１内部における恣意的な風の循環を起こすことにより、そのような風によっても発熱体１２、並びに当該筐体内部の冷却状態を維持するように設計さている。
【００３２】
従って、本実施形態によれば、第一の実施形態と同様に、流入する風の一部が失われたとしても、筐体１の内部に効率よく風を誘導することができ、且つ、係る筐体内部の冷却環境の劣化を極小化できるという効果を享受できる。更に本実施形態に特有の効果として、発熱体１２の向きとは異なる方向に風の向きを調整するフィン１８ｂの作用により、図２に例示する如くファン１３が故障等を起こした場合において、ファン１４が筐体１１内部に恣意的に起こした風の循環によっても、発熱体１２および筐体内部全体を効率よく冷却する機能を維持することができる。
【００３３】
また、第二の実施形態の変形例としては、例えば、図３に例示する如く、プレート１０７に設けられた複数のフィン１０８を、放射状に配列する構成が考えられる。このような構成（配置）に複数のフィン１０８を配設することにより、ファンが生成した風を、１枚のプレートで放射状（波状）に拡散すことができる。このような構成によれば、筐体内部に恣意的に起こした風の拡散を利用することにより、発熱体（図３には不図示）および筐体内部全体を効率よく冷却する機能を維持することができる。
【００３４】
＜第三の実施形態＞
次に、上述した第一及び第二の実施形態を基本とする第三の実施形態について説明する。図４は、本発明の第三の実施形態に係る筐体構造を説明する斜視図である。
【００３５】
図４において、ファン２４によって生成された風によって、開口３０に設けられたプレート２７ａ〜２７ｃは開いており、その風によって筐体２１内に空気が流入している。そして、本実施形態においても、上述した第一及び第二の実施形態と同様に、向かって左側のファン２３は故障している、又は十分な風を起こせない状態となっているため、プレート２５ａから２５ｃは開口２９を実質的に遮蔽している。また、本実施形態においても、発熱体２２はファン２４側に設けられていることとする。
【００３６】
本実施形態において、開口２９には、３段のプレート２５ａ〜２５ｃを有しており、これらのプレートには、フィン２６ａ〜２６ｃが設置されている。このフィン２６ａ〜２６ｃは、発熱体２２が設けられた方向へ風を送るように設計されており、全て同じ方向を向いている。
【００３７】
開口３０には、プレート２７ａ〜２７ｃが設けられており、プレート２７ｂとプレート２７ｃには、それぞれフィン２８ｂとフィン２８ｃが設けられている。本実施形態では、プレート２７ａには、フィンが設けられておらず、フィン２４が生成した風がそのまま筐体２１内へ流入する。
【００３８】
フィン２８ｂとフィン２８ｃは、同じ形状に配置されている。図５は、プレート２７ｂのフィン２８ｂを上から見た図を示している。フィン２８ｂの右側２枚は左斜め方向に傾いた状態に配置されており、左側２枚は右側方向に傾いた状態に配置されている。このようなフィンの配置を採用することで、風がプレート２７ｂの中央付近に集まるので、筐体内部の特定の位置（例えば発熱体が設けられた位置）に、より強い風を送り出すことができる。
【００３９】
従って、本実施形態によれば、第一及び第二の実施形態と同様に、流入する風の一部が失われたとしても、筐体１の内部に効率よく風を誘導することができ、且つ、係る筐体内部の冷却環境の劣化を極小化できるという効果を享受できる。更に本実施形態に特有の効果として、複数枚のプレートにおいて、少なくとも１枚のプレートにはフィンを設けない構造を採用したことにより、冷却状態を特に維持する必要のある筐体内部の特定の場所（図４に示す例では発熱体２２が設けられた位置）を効率よく冷却する機能を維持することができる。
【００４０】
尚、上述した図４に示す筐体構造では、ファン２４に対応する開口３０に設けられたプレート２７ａ〜２７ｃの一部にフィンを設けない構成について説明した。しかしながら、本発明は、係る構成には限定されず、図４に示す筐体構造において、３枚のプレート２７ａ〜２７ｃにそれぞれフィンを設ける構成を採用してもよい。このような構成を採用するか否かは、筐体内部に配置する各種機器の設計に依存する。
【００４１】
＜第四の実施形態＞
次に、上述した第一乃至第三の実施形態を基本とする第四の実施形態について説明する。図６は、本発明の第四の実施形態に係る筐体構造を説明する斜視図である。即ち、図６は、ファン３４によって生成された風により、プレート３７ａ〜３７ｃが開き、筐体３１内へ風が流入する様子を模式的に表している。本実施形態においても、上述した各実施形態と同様に、向かって左側のファン３３は故障しているか、又は十分に風を送ることができない状態なので、プレート３５ａ〜３５ｃは開口４０を閉じた状態である。発熱体３２は、開口４０側に設けられている。
【００４２】
本実施形態において、開口３９に設けられている、プレート３５ａ〜３５ｃには、フィン３６ａ〜３６ｃが設置されている。図６に示すように、フィン３６ａ〜３６ｃは、全て同じ方向に設置されている。本実施形態において、これらのフィンの向きは、開口４０側に設けられた発熱体３２に風の流れが調整されるようにフィン３６ａ〜３６ｃに設置されている。
【００４３】
一方、開口４０に設けられているプレート３７ｂ及びプレート３７ｃには、フィン３８ｂおよびフィン３８ｃが結合されているが、プレート３７ａには、フィンは設けられていない。図７は、プレート３７ｂを上面から見た図であり、フィン３８ｂとフィン３８ｃの取り付けられている向きは同じである。従って、ファン３４によって当該各プレートが開いた際に、ファン３４から送り出された風の流れる向きを、略平行に整流することができるように設置されている。
【００４４】
従って、本実施形態によれば、第一乃至第三の実施形態と同様に、流入する風の一部が失われたとしても、筐体１の内部に効率よく風を誘導することができ、且つ、係る筐体内部の冷却環境の劣化を極小化できるという効果を享受できる。更に本実施形態に特有の効果として、上述した構成（図６）を採用することにより、本実施形態によれば、両方のファン３３，３４が正常に動作している場合であっても、一方が不具合を起こした場合であっても、図６に示すように開口４０側に設けられた発熱体３２を効率的に冷却することができる。
【００４５】
尚、上述した図６に示す筐体構造では、ファン３４に対応する開口４０に設けられたプレート３７ａ〜３７ｃの一部にフィンを設けない構成について説明した。しかしながら、本発明は、係る構成には限定されず、図６に示す筐体構造において、３枚のプレート３７ａ〜３７ｃにそれぞれフィンを設ける構成を採用してもよい。このような構成を採用するか否かは、筐体内部に配置する各種機器の設計に依存する。
【産業上の利用可能性】
【００４６】
例えば、サーバ機器等などの情報処理装置などを収納する筐体及び冷却に適応することができる。
【符号の説明】
【００４７】
１    筐体
２    発熱体
３    ファン
４    ファン
５    プレート
６    フィン
７    プレート
８    フィン
９    開口
１０  開口
１１  筐体
１２  発熱体
１３  ファン
１４  ファン
１５ａ〜１５ｃ  プレート
１６ａ〜１６ｃ  フィン
１７ａ〜１７ｃ  プレート
１８ａ〜１８ｃ  フィン
１９  開口
２０  開口
２１  筐体
２２  発熱体
２３  ファン
２４  ファン
２５ａ〜２５ｃ  プレート
２６ａ〜２６ｃ  フィン
２７ａ〜２７ｃ  プレート
２８ｂ〜２８ｃ  フィン
２９  開口
３０  開口
３１  筐体
３２  発熱体
３３  ファン
３４  ファン
３５ａ〜３５ｃ  プレート
３６ａ〜３６ｃ  フィン
３７ａ〜３７ｃ  プレート
３８ｂ〜３８ｃ  フィン
３９  開口
４０  開口
【図１】
2014192290.tif 000003
【図２】
2014192290.tif 000004
【図３】
2014192290.tif 000005
【図４】
2014192290.tif 000006
【図５】
2014192290.tif 000007
【図６】
2014192290.tif 000008
【図７】
2014192290.tif 000009
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
筐体に設けられた少なくとも２つの開口に対応して個別に設けられ、それら開口を個別に、実質的に遮蔽可能な大きさをなす複数のプレートを有し、
第１のプレートは、
前記筐体の内側に向かって開くことが可能であり、且つ、自プレートに対応する開口を実質的に遮蔽可能であり、その実質的に遮蔽した状態において前記筐体外側を向く主面に立設されたフィンを有し、且つ
第２のプレートが実質的に遮蔽した状態において、前記第１のプレートに対応する開口に前記筐体外部から流入する風を、前記フィンによって、前記筐体内部の、前記第２のプレートに対応する開口後方の空間にも流れるようにすることを特徴とする筐体構造。
【請求項２】
前記第１のプレートには、複数枚のプレートによって構成されており、それらのプレートには、前記フィンが複数設けられている
ことを特徴とする請求項１記載の筐体構造。
【請求項３】
前記第２のプレートには、前記フィンが複数設けられており、
前記複数枚のプレートにおいて、前記第１のプレートに設けられた前記複数のフィンの向きと、その第１のプレートに隣接する前記第２のプレートに設けられた前記複数のフィンの向きとが異なる
ことを特徴とする請求項２記載の筐体構造。
【請求項４】
前記第２のプレートに隣接する第３のプレートに設けられた前記複数のフィンの向きは、前記第１のプレートに設けられた前記複数のフィンの向きと同じである
ことを特徴とする請求項３記載の筐体構造。
【請求項５】
前記複数枚のプレートにおいて、少なくとも１枚のプレートには前記フィンを有しない
ことを特徴とする請求項２乃至請求項４記載の筐体構造。
【請求項６】
前記複数枚のプレートに設けられた前記複数のフィンは、個々のプレートの主面において放射状の向きをなして設けられている
ことを特徴とする請求項３乃至請求項４の何れかに記載の筐体構造。
【請求項７】
前記個々の開口に設けられた前記個々のプレートにおいて、第１の開口に設けられた前記フィンの向きと、第２の開口に設けられた前記フィンの向きとは異なる
ことを特徴とする請求項３乃至請求項４の何れかに記載の筐体構造。
【請求項８】
前記筐体に流入する風を生成する生成手段を、前記筐体外部の前記開口に対応する位置に個別に有する
ことを特徴とする請求項１乃至請求項７の何れかに記載の筐体構造。
【請求項９】
筐体に設けられた少なくとも２つの開口に対応するように、それら開口を実質的に遮蔽可能な大きさをなすプレートを個別に設け、
第１のプレートには、前記筐体の内側に向かって開くことが可能であり、且つ、自プレートに対応する開口を実質的に遮蔽可能であり、その実質的に遮蔽した状態において前記筐体外側を向く主面にフィンを立設させ、
第２のプレートが実質的に遮蔽した状態において、前記第１のプレートに対応する開口に前記筐体外部から流入する風を、前記第１のプレートに立設された前記フィンによって、前記筐体内部の、前記第２のプレートに対応する開口後方の空間にも流れるようにする
ことを特徴とする筐体の冷却方法。
【請求項１０】
前記筐体外部の前記開口に対応する位置に、前記筐体に流入する風を生成する生成手段を個別に設け、該生成手段によって前記個々の開口に向かって風を送ると共に、第２の生成手段による風の生成が停止または弱められるのに応じて、その第２の生成手段に対応する位置に設けられた前記第２のプレートが前記開口を実質的に遮蔽した際、第１の生成手段によって風を送り続けることにより、前記第１の生成手段に対応する位置に設けられた前記第１のプレートに設けられた前記フィンによって、前記第２の生成手段に対応し、前記第２のプレートに対応する開口後方の、前記筐体内部の特定位置への風の流入を維持する
ことを特徴とする請求項９記載の筐体の冷却方法。